(57)【要約】【課題】  道路側部に沿設されるガードを支えるガードポール周囲の雑草を防止する為の防草マットの提供。【解決手段】  マット１，１は２枚１組として構成し、一辺３から切込んで切欠き部４を形成し、該切欠き部４の底には半円筒形の筒部２を取付け、ガードポール８周囲に２枚のマット１，１を敷設すると共に両筒部２，２にてガードポール８を抱き込んで互いに連結される。【選択図】    図１
2011109988.tif 000002
【特許請求の範囲】
【請求項１】
道路側部に沿設されるガードを支えるガードポール周囲の雑草を防止する為の防草マットにおいて、マットには地面との境界域となるガードポール下端部を抱き込むことが出来る円筒形の筒体を設け、そして該マットにはスリットを設けて開口出来るようにすると共に、筒体は鉢巻き状として開口可能としたことを特徴とするガードポール周囲の防草マット。
【請求項２】
道路側部に沿設されるガードを支えるガードポール周囲の雑草を防止する為の防草マットにおいて、マットは２枚１組として構成し、マットの一辺から切込んで切欠き部を形成し、該切欠き部の底には半円筒形の筒部を取付け、ガードポール周囲に２枚のマットを敷設すると共に両筒部にてガードポールを抱き込んで互いに連結したことを特徴とするガードポール周囲の防草マット。
【請求項３】
上記筒部内周面に凹溝を円周上に形成し、該凹溝内にはシリコン樹脂を充填した請求項２記載のガードポール周囲の防草マット。
【請求項４】
上記半円筒形の筒部の一方先端には複数のノコ歯を形成したバンドを延ばし、他方端には挿入されるバンドがロックされるバンド固定部を設けた請求項２、又は請求項３記載のガードポール周囲の防草マット。
【発明の詳細な説明】
【技術分野】
【０００１】
本発明は道路に沿って設置されるガードを支えるガードポール周りに生える雑草を防止することが出来る防草マットに関するものである。
【背景技術】
【０００２】
庭園やグリーンベルト、又は道路の中央分離帯等の植え込みにおいては、美観維持のため雑草が除去される。ところで、雑草は成長が早いだけでなく、根を深く降ろすため頻繁に抜き取らなければならならず、雑草除去の為に多大な労力と時間を要している。除草剤を散布して雑草を除去する方法も１つであるが、除草剤による効果は一時的であり、また近年の環境意識の高まりから、公害問題を生じる除草剤の使用はできるだけ控えることが望まれている。
【０００３】
こうした背景から、地面に防草シートを敷設して雑草の発芽・発育自体を阻止する方法が採用されている。例えば、特開２００５−３４０１３号に係る「防草シート」は、貫通抵抗、遮光性、透水係数に優れ、且つ取扱性にも優れている。
すなわち、長繊維不織布層と短繊維不織布層の少なくとも一部を熱融着性繊維で接着してなる積層不織布であり、且つ前記長繊維不織布層表面には連続的に凹凸が形成されており、該凹部の繊維が圧着されていることに要旨を有し、好ましくは前記長繊維不織布層の表面には連続的に凹凸が形成されており、且つ該凹部で繊維が圧着されており、更に好ましくは前記積層不織布の光遮断率（ＪＩＳＬ１０５５．６Ａに基づく）が９０％以上であって、且つ貫通抵抗が１．０Ｎ以上、透水係数が１．０×１０−２ｃｍ／ｓｅｃ〜１．０ｃｍ／ｓｅｃとしている。
【０００４】
又、特開２００９−１００６７０号に係る「防草シート」は、遮光性、貫通抵抗性、透水性及び耐久性に優れたものであり、２枚の短繊維不織布と、前記短繊維不織布の間に積層接着された合成樹脂層とを有し、前記合成樹脂層に、前記２枚の短繊維不織布の短繊維の端部がそれぞれ貫入している。この短繊維不織布としては、短繊維をニードリングによって三次元交絡させた不織布が用いられる。
【０００５】
ところで、雑草が生える場所は限りなく、道路の中央分離帯に限らず、勿論、土が表面化しているならば道路側部にも雑草が生える。高速道路などの側部にはガードが沿設されており、このガードを支える為のガードポールが一定間隔で起立している。その為に、該ガードポールが邪魔になり従来のような大きな防草シートを敷設し難くなる。雑草は僅かな隙間がある場合は勿論、隙間が無くても隙間を作って伸びる為に、ガードポールの周囲を隙間が無い状態で強固に固定する必要がある。
【０００６】
図５は従来のガードを示す具体例であり、一定幅のガイドレール（イ）が垂直に起立するガードポール（ロ）に取付けられている。そして、ガードポール（ロ）は筒形である為にその上端にはキャップ（ハ）が取付けられて上端開口を塞いでいる。又、ガードポール（ロ）の周りには２枚の防草マット（ニ）、（ニ）が敷設されて、ガードポール周辺に雑草が生えることを防止している。
【０００７】
該防草マット（ニ）は一辺側が半円形に切欠かれ、２枚の防草マット（ニ）、（ニ）を対にして地面に敷設することでガードポール周辺が被覆され、又、各防草マット（ニ）、（ニ）が位置ズレしないようにクギ打ちにて固定される。このように、２枚の防草マット（ニ）、（ニ）によりガードポール（ロ）の周辺は被覆されるが、しかし実際には僅かな隙間が残され、雑草はこの僅かな隙間からはみ出して生育する。
【特許文献１】特開２００５−３４０１３号に係る「防草シート」
【特許文献２】特開２００９−１００６７０号に係る「防草シート」
【発明の開示】
【発明が解決しようとする課題】
【０００８】
このように、道路側部に沿設されるガードを構成するガードポール周りの雑草を防止する為の防草マットには上記のごとき問題がある。本発明が解決しようとする課題はこの問題点であり、ガードポール周りの隙間を完全に防止し、雑草が生えることのない防草マットを提供する。
【課題を解決するための手段】
【０００９】
本発明に係る防草マットは、ガードポールの周囲に敷設されて、該ガードポール周辺から雑草が生えないように構成している。そこで、防草マットにはガードポールが嵌る穴だけでなく、該穴の周りにガードポールを抱かかえる筒体を起立して形成している。筒体の高さは低くてよいが、該筒体によってガードポールとの隙間を無くすことが出来、その結果、雑草の生育が阻止される。
【００１０】
ここで、筒体は防草マットを同一材質のシートで構成する場合、又は剛性の高い樹脂製とする場合がある。柔軟性のあるシートで筒体を構成する場合には、金属製又は樹脂製バンドにてガードポールに締結され、樹脂製筒体であれば連結具を介して締付けられる。そして、樹脂製の筒体にはその内周面に凹溝を円周方向に形成し、該凹溝にシリコン樹脂を埋め込むこともある。
【発明の効果】
【００１１】
本発明は防草マットをガードポール周辺部に敷設することで、ガードポール周囲の雑草を防止することが出来る。すなわち、防草マットには筒体が起立して設けられ、該筒体はガードポールの下端部を抱かかえるように拘束することで、筒体とガードポール間に隙間がなくなり、雑草が生えることが出来なくなる。又、筒体にてガードポールを締結している為に、隙間を作って雑草が伸びることも出来ない。そして、ガードポールが存在しない他の場所は従来の防草シートが敷設され、道路側部の雑草排除作業を行なわなくても済む。
【図面の簡単な説明】
【００１２】
【図１】本発明に係る防草マット
【図２】ガードポール周囲に２枚の防草マットを敷設した場合の平面図。
【図３】マットに取付けられる筒部。
【図４】本発明に係る防草マットの他の実施例。
【図５】従来の防草マット。
【発明を実施するための形態】
【００１３】
図１は本発明に係る防草マットを示す実施例であり、同図の１はマット、２は筒体を構成する筒部を表している。ここで、マット１は従来から使用されている防草シートに使われているシートと同じ材質であればよく、具体的な材質は限定しないことにする。従って、該マット１が敷設されることで、ガードポール周りに雑草が生えることは出来ない。
【００１４】
そして、上記筒部２は半円筒形を成した樹脂製の部材であり、上記マット１に取付けられている。マット１は一定厚さの長方形を成し、その一辺３から切込まれた切欠き部４を有し、この切欠き部４の底は円弧状を成していて、上記半円筒形の筒部２が取付けられている。筒部２の底部５の外周には凹溝６が沿設されていて、この凹溝６に切欠き部４の底縁７が嵌入して取付けられている。ただし、凹溝６に底縁７が嵌入しただけでは外れてしまうことから、接着剤によって固着することが出来る。勿論、外れ防止手段としては接着剤に限定することはしない。
【００１５】
ところで、図１に示すマット１は２枚１組としてガードポールの周囲に敷設される。２枚のマット１，１が対を成してガードポールの周囲に敷設されることで、一方のマット１の筒部２によってガードポールの片側半周を被覆し、他方のマット１の筒部２によってガードポールの他側半周が被覆される。すなわち、半円筒形の２つの筒部２，２にて筒体が構成される。
【００１６】
図２は２枚のマット１，１をガードポールの周囲に敷設した場合の平面図を示している。半円筒形の筒部２は切欠き部４の底に取付けられていることで、２枚のマット１，１を敷設するならばマット１，１の一部は互いに重なり合い、両マット１，１間に隙間を残さないようになる。一方、両筒部２，２の互いに対向して１つの円筒形筒体が形成されて、ガードポール８を抱え込むことが出来る。本発明では、両筒部２，２間に隙間を残さないように互いに連結される。連結手段は色々あるが、筒部２に連結具を一体的に形成することも出来る。
【００１７】
図３は筒部２を単独で示す具体例であり、該筒部２は半円形を有し、底にはマット１の底縁７が嵌る凹溝６を形成している底部５を有している。そして、底部５の両端は互いに当接する傾斜面９，９を有している。同じく、筒部２の両端も傾斜面１０，１０と成っている。そして、筒部２の一方端からはバンド１１が延びており、筒部２の他方端にはバンド固定部１２を有している。
【００１８】
すなわち、２つの筒部２，２を対向して組合せることで、一方側のバンド１１が他方側のバンド固定部１２に挿入されてロックされ、円筒形の筒体が形成され、ガードポール８を抱き込むことが出来る。上記バンド１１には小さいノコ歯が複数個形成されており、又、バンド固定部１２の挿入穴１３には小さいツメが突出して設けられている。そこで、挿入穴１３に嵌ったバンド１１はツメにノコ歯が係合して抜けないようにロックされる。
【００１９】
一方、筒部２の内周面１５には凹溝１４が円周方向に形成されている。この凹溝１４にはシリコン樹脂が充填され、ガードポール表面との間をシリコン樹脂によって隙間を無くすことが出来る。従って、仮にガードポール８の周りに生えた雑草も、筒部２によって遮られることから大きく生育することはない。勿論、遮光性があることから、雑草の発芽も出来ない。
【００２０】
図４は本発明に係る防草マットを示す他の実施例である。同図に示すマット１５は筒体１６も該マット１５と同じシート材で構成され、該マット１５にはスリット１７が設けられて筒体１６にガードポール８が嵌るように押し開いて開口することが出来る。勿論、筒体１６も鉢巻き状と成って開くようになる。そして、該マット１５をガードポール８の周囲に敷設した場合、筒体１６は別の部材から成るバンド等の締結部材によって締付けられ、ガードポール８との隙間を無くすことが出来る。
【符号の説明】
【００２１】
１  マット
２  筒部
３  一辺
４  切欠き部
５  底部
６  凹溝
７  底縁
８  ガードポール
９  傾斜面
10  傾斜面
11  バンド
12  バンド固定部
13  挿入穴
14  凹溝
15  マット
16  筒体
17  スリット
【図１】
2011109988.tif 000003
【図２】
2011109988.tif 000004
【図３】
2011109988.tif 000005
【図４】
2011109988.tif 000006
【図５】
2011109988.tif 000007